(57)【要約】【課題】  生体情報の計測とジョブの実行とを効率的に実行することが可能な画像形成装置を提供すること。【解決手段】  画像形成装置は、ユーザーの生体情報を計測する計測部と、計測された生体情報を解析する解析部と、ジョブを受け付けるジョブ受付部５９と、ジョブ受付部５９によりジョブが受け付けられる確率の低い低頻度期間を決定する時間帯決定部５３と、低頻度期間に計測部による計測が可能な計測可能状態にする駆動制御部５３と、を備える。【選択図】        図４
2017205894.tif 000002
【特許請求の範囲】
【請求項１】
ユーザーの生体情報を計測する計測手段と、
前記計測された生体情報を解析する解析手段と、
ジョブを受け付けるジョブ受付手段と、
前記ジョブ受付手段によりジョブが受け付けられる確率の低い低頻度期間を決定する時間帯決定手段と、
前記低頻度期間に前記計測手段による計測が可能な計測可能状態にする駆動制御手段と、を備えた画像形成装置。
【請求項２】
前記ジョブ受付手段により受け付けられたジョブが受け付けられた日時を示すジョブ履歴情報を記憶するジョブ履歴記憶手段を、さらに備え、
前記時間帯決定手段は、前記ジョブ履歴情報に基づいて前記ジョブ受付手段によりジョブが受け付けられる頻度が所定の値以下の期間を前記低頻度期間に決定する、請求項１に記載の画像形成装置。
【請求項３】
動作モードを通常モードと、前記通常モードよりも消費電力が低い省電力モードとのいずれかに切り換えるモード切換手段と、
前記省電力モードの期間を定めたスケジュールを設定するスケジュール設定手段と、をさらに備え、
前記時間帯決定手段は、前記スケジュールにより前記省電力モードに定められた期間を、前記低頻度期間に決定する、請求項１または２に記載の画像形成装置。
【請求項４】
前記動作モードが通常モードの場合に、前記解析手段により解析された結果を表示する結果表示手段と、
前記動作モードが前記省電力モードの場合に、前記解析手段により解析された結果を外部に送信する結果送信手段と、をさらに備えた請求項３に記載の画像形成装置。
【請求項５】
前記省電力モードの期間は、ジョブの実行が可能な再起動可能期間と、ジョブの実行が不可能な再起動不可期間とを含み、
前記時間帯決定手段は、前記スケジュールにより定められた前記再起動可能期間を前記低頻度期間に決定することなく、前記スケジュールに定められた前記再起動不可能期間を前記低頻度期間に決定する、請求項３または４に記載の画像形成装置。
【請求項６】
ユーザーを認証する認証手段と、
前記低頻度期間に前記認証されたユーザーを割り当てる予約手段と、
前記認証されたユーザーが割り当てられた前記低頻度期間を、前記認証されたユーザーに通知する予約期間通知手段と、をさらに備えた請求項１〜５のいずれかに記載の画像形成装置。
【請求項７】
前記低頻度期間に前記認証手段によりユーザーが認証される場合、当該低頻度期間が前記認証されたユーザー以外のユーザーに割り当てられている場合、前記計測手段による計測を許可しない制限手段を、さらに備えた請求項６に記載の画像形成装置。
【請求項８】
前記計測手段により前記認証手段により認証されたユーザーの生体情報が計測される場合、前記解析手段により解析された結果を前記認証されたユーザーと関連付けた計測履歴情報を記憶する計測履歴記憶手段と、
前記計測履歴情報に基づいて、前記計測手段による生体情報の計測が所定期間されていないユーザーを未測定ユーザーとして特定する未測定ユーザー特定手段と、をさらに備え、
前記予約手段は、前記未測定ユーザーを前記低頻度期間に割り当てる、請求項６または７に記載の画像形成装置。
【請求項９】
前記時間帯決定手段は、前記予約手段によりユーザーが割り当てられた前記低頻度期間に当該低頻度期間に割り当てられたユーザーの生体情報が計測されない場合、当該低頻度期間を所定時間延長する延長手段を含む、請求項６〜８のいずれかに記載の画像形成装置。
【請求項１０】
前記時間帯決定手段は、前記低頻度期間内に前記低頻度期間に割り当てられたユーザーの生体情報に基づいた前記解析手段による解析が終了することに応じて、前記低頻度期間を終了させる終了手段を含む、請求項６〜９のいずれかに記載の画像形成装置。
【請求項１１】
前記駆動制御手段は、前記予約手段によりユーザーが割り当てられた前記低頻度期間に前記計測可能状態にし、前記予約手段によりユーザーが割り当てられていない前記低頻度期間に、前記計測手段による計測が不可能な計測不可能状態にする、請求項６〜１０のいずれかに記載の画像形成装置。
【請求項１２】
前記駆動制御手段は、前記低頻度期間に前記計測不可能状態にし、前記低頻度期間以外の期間に前記計測手段による計測が不可能な計測不可能状態にする、請求項１〜９のいずれかに記載の画像形成装置。
【請求項１３】
ユーザーによる操作を受け付ける操作受付手段を、さらに備え、
前記駆動制御手段は、前記計測可能状態において前記計測手段および前記解析手段に供給される電力が遮断されている場合、前記操作受付手段により所定の操作が受け付けられることに応じて、前記計測手段および前記解析手段に電力を供給する、請求項１１または１２に記載の画像形成装置。
【請求項１４】
画像形成装置で実行される生体情報測定方法であって、
前記画像形成装置は、
ユーザーの生体情報を計測する計測手段と、
前記計測された生体情報を解析する解析手段と、を備え、
ジョブを受け付けるジョブ受付ステップと、
低頻度期間を決定する時間帯決定ステップと、
前記低頻度期間に前記計測手段による計測が可能な状態にする駆動制御ステップと、を含む生体情報計測方法。
【請求項１５】
画像形成装置を制御するコンピューターで実行される生体情報測定プログラムであって、
前記画像形成装置は、
ユーザーの生体情報を計測する計測手段と、
前記計測された生体情報を解析する解析手段と、を備え、
ジョブを受け付けるジョブ受付ステップと、
低頻度期間を決定する時間帯決定ステップと、
前記低頻度期間に前記計測手段による計測が可能な状態にする駆動制御ステップと、を前記コンピューターに実行させる生体情報計測プログラム。
【発明の詳細な説明】
【技術分野】
【０００１】
この発明は、画像形成装置、生体情報計測方法および生体情報計測プログラムに関し、特に、ユーザーの生体情報を計測可能な画像形成装置、その画像形成装置で実行される生体情報計測方法および生体情報計測プログラムに関する。
【背景技術】
【０００２】
職場には、複合機（以下「ＭＦＰ」という）で代表される画像形成装置が設置されることが多い。一方、職場環境におけるユーザーの健康状態をチェックするために、ユーザーの生体情報を計測する画像形成装置が知られている。例えば、特開２００６−３４５８６号公報には、画像形成装置の操作パネルの両端に電極、右端に指紋による生体認証装置、内部には生体インピーダンス測定部、制御部および時計を設け、生体認証装置で個人認証を済ませた使用者が両手を電極に接触させると生体インピーダンス測定部で使用者の生体インピーダンスを測定し、あらかじめ記憶装置に記憶させた身長、体重などの生体情報から、制御部で体脂肪率を計算し、この計算結果と測定日時を記憶装置に記憶させ、測定結果を蓄積する画像形成装置が記載されている。
【０００３】
しかしながら、ＭＦＰで生体情報を計測している間は、そのユーザーが操作パネルを独占してしまうため、他のユーザーがＭＦＰを操作できなくなってしまう問題がある。特に、ＭＦＰは、コピー機能、ＦＡＸ機能、スキャン機能、プリント機能などの複数の機能を有するため、ユーザーがこれらの機能を実行させることができなくなってしまうといった問題がある。
【特許文献１】特開２００６−３４５８６号公報
【発明の概要】
【発明が解決しようとする課題】
【０００４】
この発明は上述した問題点を解決するためになされたもので、この発明の目的の一つは、生体情報の計測とジョブの実行とを効率的に実行することが可能な画像形成装置を提供することである。
【０００５】
この発明の他の目的は、生体情報の計測とジョブの実行とを効率的に実行することが可能な生体情報計測方法を提供することである。
【０００６】
この発明のさらに他の目的は、生体情報の計測とジョブの実行とを効率的に実行することが可能な生体情報計測プログラムを提供することである。
【課題を解決するための手段】
【０００７】
上述した目的を達成するためにこの発明のある局面によれば、画像形成装置は、ユーザーの生体情報を計測する計測手段と、計測された生体情報を解析する解析手段と、ジョブを受け付けるジョブ受付手段と、ジョブ受付手段によりジョブが受け付けられる確率の低い低頻度期間を決定する時間帯決定手段と、低頻度期間に計測手段による計測が可能な計測可能状態にする駆動制御手段と、を備える。
【０００８】
この局面によれば、ジョブが受け付けられる確率の低い低頻度期間に計測可能状態にするので、ジョブが受け付けられる期間と生体情報を計測する期間とが重なる確率を低くすることができる。その結果、生体情報の計測とジョブの実行とを効率的に実行することが可能な画像形成装置を提供することができる。
【０００９】
好ましくは、ジョブ受付手段により受け付けられたジョブが受け付けられた日時を示すジョブ履歴情報を記憶するジョブ履歴記憶手段を、さらに備え、時間帯決定手段は、ジョブ履歴情報に基づいてジョブ受付手段によりジョブが受け付けられる頻度が所定の値以下の期間を低頻度期間に決定する。
【００１０】
この局面に従えば、ジョブが受け付けられる頻度が所定値以下の期間に生体情報を計測可能にするので、ジョブが受け付けられる確率の低い期間に、生体情報の計測を可能にすることができる。
【００１１】
好ましくは、動作モードを通常モードと、通常モードよりも消費電力が低い省電力モードとのいずれかに切り換えるモード切換手段と、省電力モードの期間を定めたスケジュールを設定するスケジュール設定手段と、をさらに備え、時間帯決定手段は、スケジュールにより省電力モードに定められた期間を、低頻度期間に決定する。
【００１２】
この局面に従えば、スケジュールにより省電力モードに定められた期間に生体情報の計測を可能とするので、消費電力が低い期間に生体情報の計測を可能にすることができる。
【００１３】
好ましくは、動作モードが通常モードの場合に、解析手段により解析された結果を表示する結果表示手段と、動作モードが省電力モードの場合に、解析手段により解析された結果を外部に送信する結果送信手段と、をさらに備える。
【００１４】
この局面に従えば、省電力モードにおける消費電力を低減することができる。
【００１５】
好ましくは、省電力モードの期間は、ジョブの実行が可能な再起動可能期間と、ジョブの実行が不可能な再起動不可期間とを含み、時間帯決定手段は、スケジュールにより定められた再起動可能期間を低頻度期間に決定することなく、スケジュールに定められた再起動不可能期間を低頻度期間に決定する。
【００１６】
この局面に従えば、再起動不可能期間に生体情報の計測を可能とするので、ジョブが受け付けられる期間と生体情報を計測する期間とが重ならないようにすることができる。
【００１７】
好ましくは、ユーザーを認証する認証手段と、低頻度期間に認証されたユーザーを割り当てる予約手段と、認証されたユーザーが割り当てられた低頻度期間を、認証されたユーザーに通知する予約期間通知手段と、をさらに備える。
【００１８】
この局面に従えば、低頻度期間に認証されたユーザーを割り当て、低頻度期間を認証されたユーザーに通知するので、低頻度期間に生体情報が計測される確率を高くすることができる。
【００１９】
好ましくは、低頻度期間に認証手段によりユーザーが認証される場合、当該低頻度期間が認証されたユーザー以外のユーザーに割り当てられている場合、計測手段による計測を許可しない制限手段を、さらに備える。
【００２０】
この局面に従えば、低頻度期間に生体情報を計測可能なユーザーを制限するので、生体情報が計測される時間を短くして、ジョブを受け付け可能な時間を長くすることができる。
【００２１】
好ましくは、計測手段により認証手段により認証されたユーザーの生体情報が計測される場合、解析手段により解析された結果を認証されたユーザーと関連付けた計測履歴情報を記憶する計測履歴記憶手段と、計測履歴情報に基づいて、計測手段による生体情報の計測が所定期間されていないユーザーを未測定ユーザーとして特定する未測定ユーザー特定手段と、をさらに備え、予約手段は、未測定ユーザーを低頻度期間に割り当てる。
【００２２】
この局面に従えば、生体情報の計測が所定期間されていないユーザーに低頻度期間を割り当てるので、ユーザーごとに所定期間内に生体情報が計測される確率を高くすることができる。
【００２３】
好ましくは、時間帯決定手段は、予約手段によりユーザーが割り当てられた低頻度期間に当該低頻度期間に割り当てられたユーザーの生体情報が計測されない場合、当該低頻度期間を所定時間延長する延長手段を含む。
【００２４】
この局面に従えば、ユーザーに割り当てられた低頻度期間を延長するので、ユーザーが生体情報を計測する期間を確保することができる。
【００２５】
好ましくは、時間帯決定手段は、低頻度期間内に低頻度期間に割り当てられたユーザーの生体情報に基づいた解析手段による解析が終了することに応じて、低頻度期間を終了させる終了手段を含む。
【００２６】
この局面に従えば、低頻度期間に割り当てられたユーザーの生体情報に基づいた解析が終了することに応じて、低頻度期間を終了させるので、生体情報が計測される時間を短くして、ジョブを受け付け可能な時間を長くすることができる。
【００２７】
好ましくは、駆動制御手段は、予約手段によりユーザーが割り当てられた低頻度期間に計測可能状態にし、予約手段によりユーザーが割り当てられていない低頻度期間に、計測手段による計測が不可能な計測不可能状態にする。
【００２８】
この局面に従えば、ユーザーが割り当てられている頻度期間に生体情報を計測可能にし、ユーザーが割り当てられていない頻度期間に生体情報を計測不可能にするので、生体情報が計測される時間を短くして、ジョブを受け付け可能な時間を長くすることができる。
【００２９】
好ましくは、駆動制御手段は、低頻度期間に計測不可能状態にし、低頻度期間以外の期間に計測手段による計測が不可能な計測不可能状態にする。
【００３０】
この局面に従えば、頻度期間に生体情報を計測可能にし、頻度期間以外の期間に生体情報を計測不可能にするので、生体情報が計測される時間を短くして、ジョブを受け付け可能な時間を長くすることができる。
【００３１】
好ましくは、ユーザーによる操作を受け付ける操作受付手段を、さらに備え、駆動制御手段は、計測可能状態において計測手段および解析手段に供給される電力が遮断されている場合、操作受付手段により所定の操作が受け付けられることに応じて、計測手段および解析手段に電力を供給する。
【００３２】
この局面に従えば、生体情報を計測可能にしつつ消費電力を低減することができる。
【００３３】
この発明の他の局面によれば、生体情報測定方法は、画像形成装置で実行される生体情報測定方法であって、画像形成装置は、ユーザーの生体情報を計測する計測手段と、計測された生体情報を解析する解析手段と、を備え、ジョブを受け付けるジョブ受付ステップと、低頻度期間を決定する時間帯決定ステップと、低頻度期間に計測手段による計測が可能な状態にする駆動制御ステップと、を含む。
【００３４】
この局面に従えば、生体情報の計測とジョブの実行とを効率的に実行することが可能な生体情報計測方法を提供することができる。
【００３５】
この発明の他の局面によれば、生体情報測定プログラムは、画像形成装置を制御するコンピューターで実行される生体情報測定プログラムであって、画像形成装置は、ユーザーの生体情報を計測する計測手段と、計測された生体情報を解析する解析手段と、を備え、ジョブを受け付けるジョブ受付ステップと、低頻度期間を決定する時間帯決定ステップと、低頻度期間に計測手段による計測が可能な状態にする駆動制御ステップと、をコンピューターに実行させる。
【００３６】
この局面に従えば、生体情報の計測とジョブの実行とを効率的に実行することが可能な生体情報計測プログラムを提供することができる。
【図面の簡単な説明】
【００３７】
【図１】本発明の実施の形態の１つにおけるＭＦＰの外観を示す斜視図である。
【図２】本発明の実施の形態の１つにおけるＭＦＰのハードウェア構成の概要を示すブロック図である。
【図３】操作パネルの一例を示す平面図である。
【図４】第１の実施の形態におけるＭＦＰが備えるＣＰＵの機能の一例を示すブロック図である。
【図５】計測制御処理の流れの一例を示す第１のフローチャートである。
【図６】計測制御処理の流れの一例を示す第２のフローチャートである。
【図７】低頻度期間決定処理の流れの一例を示すフローチャートである。
【図８】モード切換処理の流れの一例を示すフローチャートである。
【図９】駆動制御処理の流れの一例を示すフローチャートである。
【発明を実施するための形態】
【００３８】
以下、本発明の実施の形態について図面を参照して説明する。以下の説明では同一の部品には同一の符号を付してある。それらの名称および機能も同じである。したがってそれらについての詳細な説明は繰返さない。
【００３９】
図１は、本発明の実施の形態の１つにおけるＭＦＰの外観を示す斜視図である。図２は、本発明の実施の形態の１つにおけるＭＦＰのハードウェア構成の概要を示すブロック図である。図１および図２を参照して、ＭＦＰ１００は、メイン回路１１０と、原稿を読み取るための原稿読取部１３０と、原稿を原稿読取部１３０に搬送するための自動原稿搬送装置１２０と、画像形成部１４０と、画像形成部１４０に用紙を供給するための給紙部１５０と、画像が形成された用紙を処理する後処理部１５５と、ユーザーインターフェースとしての操作パネル１６０と、解析部１７１と、計測部１７３と、を含む。
【００４０】
自動原稿搬送装置１２０は、原稿トレイに載置された原稿を、原稿読取部１３０に供給する。自動原稿搬送装置１２０は、原稿トレイに複数枚の原稿が載置される場合、複数枚の原稿をさばいて、１枚ずつ順に原稿読取部１３０に搬送する。
【００４１】
原稿読取部１３０は、ＣＣＤ（Ｃｈａｒｇｅ  Ｃｏｕｐｌｅｄ  Ｄｅｖｉｃｅ）等の光電変換素子を含み、自動原稿搬送装置１２０から搬送される原稿を光学的に読取って電子データとしての画像を出力する。
【００４２】
画像形成部１４０は、レーザプリンタであり、原稿読取部１３０が出力する画像またはＨＤＤ１１５に記憶された画像を、給紙部１５０から供給される紙などの記録媒体に形成することにより、可視化する。画像形成部１４０は、カラープリントの場合には、イエロー、マゼンタ、シアン、ブラックの４色のトナーで画像を形成する。なお、画像形成部１４０は、インクジェットプリンタであってもよい。
【００４３】
後処理部１５５は、画像形成部１４０により画像が形成された１以上の用紙を並び替えて排紙するソート処理、パンチ穴加工するパンチ処理、ステープル針を打ち込むステープル処理を実行する。
【００４４】
操作パネル１６０は、表示部１６１と、操作部１６３と、第１電極１７５Ａと、第２電極１７５Ｂと、を含む。
【００４５】
計測部１７３は、第１電極１７５Ａおよび第２電極１７５Ｂと接続される。計測部１７３は、ＣＰＵ１１１により制御され、第１電極１７５Ａの電位と、第２電極１７５Ｂの電位とを検出し、検出された電位の差を心電位として計測する。計測部１７３は、計測された心電位をＣＰＵ１１１に出力する。計測部１７３は、第１電極１７５Ａの電位と、第２電極１７５Ｂの電位とが検出されている間、継続して心電位を計測し、所定時間間隔でＣＰＵ１１１に心電位を出力する。
【００４６】
解析部１７１は、ＣＰＵ１１１により制御され、計測部１７３により計測された心電位を解析し、解析結果を生成する。解析部１７１は、解析結果をＣＰＵ１１１に出力する。心電位の解析方法については、周知な方法を用いることができる。例えば、解析部１７１は、所定時間内に計測された心電位に基づいて解析する。また、解析部１７１は、ユーザーの身体の特徴を示す情報、例えば、性別、年齢、身長、体重等を用いて、心電位を解析するようにしてもよい。これにより、ユーザーの身体の特徴に応じた解析結果を生成することができる。
【００４７】
メイン回路１１０は、ＣＰＵ１１１と、通信インターフェース（Ｉ／Ｆ）部１１２と、ＲＯＭ１１３と、ＲＡＭ１１４と、大容量記憶装置としてのハードディスクドライブ（ＨＤＤ）１１５と、ファクシミリ部１１６と、ＣＤ−ＲＯＭ１１８が装着される外部記憶装置１１７と、を含む。ＣＰＵ１１１は、自動原稿搬送装置１２０、原稿読取部１３０、画像形成部１４０、給紙部１５０、後処理部１５５、操作パネル１６０、解析部１７１および計測部１７３と接続され、ＭＦＰ１００の全体を制御する。
【００４８】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる読取データ（画像データ）を一時的に記憶する。
【００４９】
通信Ｉ／Ｆ部１１２は、ＭＦＰ１００をネットワークに接続するためのインターフェースである。ＣＰＵ１１１は、通信Ｉ／Ｆ部１１２を介して、ネットワークに接続されたコンピューターとの間で通信し、データを送受信する。また、通信Ｉ／Ｆ部１１２は、ネットワークを介してインターネットに接続されたコンピューターと通信が可能である。
【００５０】
ファクシミリ部１１６は、公衆交換電話網（ＰＳＴＮ）に接続され、ＰＳＴＮにファクシミリデータを送信する、またはＰＳＴＮからファクシミリデータを受信する。ファクシミリ部１１６は、受信したファクシミリデータを、ＨＤＤ１１５に記憶する、または画像形成部１４０に出力する。画像形成部１４０は、ファクシミリ部１１６により受信されたファクシミリデータを用紙にプリントする。また、ファクシミリ部１１６は、ＨＤＤ１１５に記憶されたデータをファクシミリデータに変換して、ＰＳＴＮに接続されたファクシミリ装置に送信する。
【００５１】
外部記憶装置１１７は、ＣＤ−ＲＯＭ（Ｃｏｍｐａｃｔ  Ｄｉｓｋ  ＲＯＭ）１１８が装着される。ＣＰＵ１１１は、外部記憶装置１１７を介してＣＤ−ＲＯＭ１１８にアクセス可能である。ＣＰＵ１１１は、外部記憶装置１１７に装着されたＣＤ−ＲＯＭ１１８に記録されたプログラムをＲＡＭ１１４にロードして実行する。なお、ＣＰＵ１１１が実行するプログラムを記憶する媒体としては、ＣＤ−ＲＯＭ１１８に限られず、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリであってもよい。
【００５２】
また、ＣＰＵ１１１が実行するプログラムは、ＣＤ−ＲＯＭ１１８に記録されたプログラムに限られず、ＨＤＤ１１５に記憶されたプログラムをＲＡＭ１１４にロードして実行するようにしてもよい。この場合、通信Ｉ／Ｆ部１１２を介してネットワークに接続された他のコンピューターが、ＭＦＰ１００のＨＤＤ１１５に記憶されたプログラムを書換える、または、新たなプログラムを追加して書き込むようにしてもよい。さらに、ＭＦＰ１００が、通信Ｉ／Ｆ部１１２を介してネットワークに接続された他のコンピューターからプログラムをダウンロードして、そのプログラムをＨＤＤ１１５に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００５３】
操作パネル１６０は、ＭＦＰ１００の上面に設けられる。図３は、操作パネルの一例を示す平面図である。なお、図３中の点線は、操作パネル１６０中でハードキー部１６７が配置される領域を示すために付したもので、実際には存在しない。図３を参照して、操作パネル１６０は、表示部１６１と、操作部１６３と、表示部１６１の左右それぞれの近傍に配置された第１電極１７５Ａおよび第２電極１７５Ｂと、を含む。表示部１６１は、例えば、液晶表示装置（ＬＣＤ）であり、ユーザーに対する指示メニューや取得した画像データに関する情報等を表示する。
【００５４】
操作部１６３は、タッチパネル１６５と、ハードキー部１６７とを含む。タッチパネル１６５は、透明な部材からなり、表示部１６１の上面または下面に表示部１６１に重畳して設けられる。ハードキー部１６７は、複数のハードキーを含む。ハードキーは、例えば接点スイッチである。タッチパネル１６５は、表示部１６１の表示面中でユーザーにより指示された位置を検出する。ユーザーがＭＦＰ１００を操作する場合は直立した姿勢となる場合が多いので、表示部１６１の表示面、タッチパネル１６５の操作面およびハードキー部１６７は、上方を向いて配置される。ユーザーが表示部１６１の表示面を容易に視認することができ、ユーザーが指で操作部１６３を容易に指示することができるようにするためである。第１電極１７５Ａおよび第２電極１７５Ｂそれぞれは、ユーザーの指が接触すると、ユーザーの指の電位を、生体情報として検出し、検出した電位を計測部１７３に出力する。
【００５５】
図４は、第１の実施の形態におけるＭＦＰが備えるＣＰＵの機能の一例を示すブロック図である。図４に示す機能は、ＭＦＰ１００が備えるＣＰＵ１１１が、ＲＯＭ１１３、ＨＤＤ１１５、ＣＤ−ＲＯＭ１１８に記憶されたジョブ実行プログラムを実行することにより、ＣＰＵ１１１に形成される機能である。図４を参照して、ＣＰＵ１１１は、ユーザーを認証する認証部５１と、解析部１７１および計測部１７３を制御する駆動制御部５３と、時間帯決定部５５と、スケジュールを設定するスケジュール設定部５７と、ジョブを受け付けるジョブ受付部５９と、ジョブを実行するジョブ実行部６１と、ジョブの履歴を記憶するジョブ履歴記憶部６３と、動作モードを切り換えるモード切換部６５と、予約部６７と、未測定ユーザー特定部６９と、計測履歴記憶部７１と、予約期間通知部７３と、結果通知部７５と、を含む。
【００５６】
認証部５１は、操作パネル１６０を操作するユーザーを認証する。認証部５１は、操作パネル１６０に入力されるユーザーによる認証操作に従って、ユーザーが入力する認証情報を受け付け、受け付けられた認証情報が、予め記憶されていれば認証し、ユーザーを特定する。認証部５１は、認証したユーザーを識別するためのユーザー識別情報を駆動制御部５３、未測定ユーザー特定部６９およびモード切換部６５に出力する。例えば、認証情報をユーザーＩＤとパスワードとの組とする場合、表示部１６１にログイン画面を表示し、ユーザーがログイン画面にしたがって操作部１６３に入力する認証情報を受け付ける。また、認証情報を、ユーザーの指紋とする場合、操作パネル１６０に指紋読取装置を設け、ユーザーが指紋読取装置に指紋を読み取らせる認証操作を入力する場合、指紋読取装置で読み取った指紋が予め登録されていれば、指紋で特定されるユーザーを認証する。また、認証情報を、ユーザーの静脈パターンとする場合、操作パネル１６０に静脈パターン読取装置を設け、ユーザーが静脈パターン読取装置に静脈パターンを読み取らせる認証操作を入力する場合、静脈パターン読取装置で読み取った静脈パターンが予め登録されていれば、静脈パターンで特定されるユーザーを認証する。また、認証情報を、ユーザーの虹彩とする場合、操作パネル１６０に虹彩読取装置を設け、ユーザーが虹彩読取装置に虹彩を読み取らせる認証操作を入力する場合、虹彩読取装置で読み取った虹彩が予め登録されていれば、虹彩で特定されるユーザーを認証する。
【００５７】
また、ユーザーに割り当てられたカード識別情報を記憶する磁気カードまたはＩＣカードを用いる場合、カード識別情報を認証情報とするようにしてもよい。この場合、操作パネル１６０にカード読取装置を設け、ユーザーがカード読取装置に磁気カードまたはＩＣカードを読み取らせる認証操作を入力する場合、認証部５１は、カード読取装置で読み取ったカード識別情報が登録されていれば、カード識別情報が割り当てられたユーザーを認証する。さらに、ユーザーに割り当てられた携帯情報装置の装置識別情報を認証情報とするようにしてもよい。この場合、ＭＦＰ１００に所定の範囲で無線による通信が可能な近距離通信装置を備えるようにし、認証部５１は、近距離通信装置が通信可能となった携帯情報装置から受信する装置識別情報が予め登録されていれば、その装置識別情報で特定される携帯情報装置が割り当てられたユーザーを認証する。近距離通信は、例えば、ＮＦＣ（Ｎｅａｒ  Ｆｉｅｌｄ  Ｃｏｍｍｕｎｉｃａｔｉｏｎ）の規格に基づく通信であってもよいし、Ｂｌｕｅｔｏｏｔｈ（登録商標）の規格に基づく通信であってもよい。
【００５８】
なお、認証に用いるユーザーＩＤとパスワードとの組、指紋、静脈パターンまたは虹彩等のユーザーの生体に関する情報、またはカード識別情報等の認証情報をユーザーごとにＨＤＤ１１５に記憶しておくようにしてもよいし、外部の装置、例えば、ＭＦＰ１００とネットワークで接続されたサーバーなどに記憶しておくようにしてもよい。認証情報を外部の装置に記憶する場合には、認証部５１が、外部の装置に認証処理を依頼し、外部の装置で認証処理を実行した結果を外部の装置から受信するようにしてもよい。
【００５９】
駆動制御部５３は、認証部５１からユーザー識別情報が入力された後に、そのユーザー情報を取得する。ユーザー情報は、ユーザーの身体の特徴を示す情報であり、例えば、性別、年齢、身長、体重等である。駆動制御部５３は、ユーザー情報を設定するための設定画面を表示部１６１に表示し、ユーザーが操作部１６３に入力するユーザー情報を受け付ける。駆動制御部５３は、受け付けられたユーザー情報をユーザー識別情報と関連付けてＨＤＤ１１５に記憶する。なお、駆動制御部５３は、認証部５１から入力されたユーザー識別情報に関連付けられたユーザー情報がＨＤＤ１１５に記憶されている場合には、設定画面を表示部１６１に表示することなく、ＨＤＤ１１５からユーザー識別情報に関連付けられたユーザー情報を読み出す。駆動制御部５３は、取得されたユーザー情報を解析部１７１に出力する。
【００６０】
駆動制御部５３は、解析部１７１および計測部１７３を制御し、計測部１７３が出力する心電位を取得し、取得された心電位を解析部１７１に出力する。具体的には、駆動制御部５３は、解析部１７１および計測部１７３に電力を供給する状態と電力を遮断する状態とを切り換える。以下、解析部１７１および計測部１７３に電力を供給する状態を、計測可能状態といい、解析部１７１および計測部１７３に供給する電力を遮断する状態を、計測不可能状態という。駆動制御部５３は、解析部１７１および計測部１７３に電力を供給する場合、計測部１７３に計測指示を出力し、計測部１７３に心電位を計測させる。計測部１７３は、計測指示が入力された後に、第１電極１７５Ａおよび第２電極１７５Ｂそれぞれで電位が検出される場合に心電位を計測し、出力する。駆動制御部５３は、計測部１７３に計測指示を出力した後に計測部１７３から心電位が入力されると計測状態を検出する。計測状態は、ユーザーが第１電極１７５Ａおよび第２電極１７５Ｂに接触し、計測部１７３が心電位を計測している状態である。
【００６１】
駆動制御部５３は、計測状態を検出することに応じて、解析部１７１に認証部５１から入力されるユーザー情報と計測開始信号とを出力し、計測部１７３から連続して取得される心電位を解析部１７１に連続して出力する。解析部１７１は、駆動制御部５３から入力される心電位に基づいて、ユーザー情報に対応する解析結果を生成する。解析部１７１は、解析が終了して解析結果を生成することに応じて、解析結果をＣＰＵ１１１に出力するので、駆動制御部５３は、解析部１７１から解析結果が入力されることに応じて、解析結果とユーザー識別情報との組を計測履歴記憶部７１に出力し、ユーザー識別情報を時間帯決定部５５に出力する。
【００６２】
なお、計測部１７３が、計測指示の入力に係わらず、第１電極１７５Ａおよび第２電極１７５Ｂそれぞれで電位が検出される場合に心電位を計測し、出力するようにしてもよい。この場合、駆動制御部５３は、計測指示を計測部１７３に出力することなく、計測部１７３から心電位が入力されることに応じて、計測状態を検出するようにすればよい。また、本実施の形態においては、解析部１７１がユーザーの生体情報として心電位を解析する場合を例に示すが、生体情報であれば、脈拍、心拍数、血圧等を解析して、人体の状態を示す値を算出するようにしてもよい。
【００６３】
ジョブ受付部５９は、ジョブを受け付ける。ジョブ受付部５９は、ユーザーが操作部１６３を操作してジョブを入力する場合、操作部１６３により受け付けられたジョブを受け付ける。ジョブ受付部５９は、認証部５１から操作部１６３を操作するユーザーのユーザー識別情報が入力される。ジョブ受付部５９は、操作部１６３によりジョブが受け付けられる場合、受け付けられたジョブと、認証部５１から入力されるユーザー識別情報との組をジョブ実行部６１に出力する。
【００６４】
ジョブ受付部５９は、通信Ｉ／Ｆ部１１２が、外部の装置からプリントジョブを受信する場合、プリントジョブを送信してきた装置を特定し、その装置からプリントジョブの実行を指示したユーザーのユーザー識別情報を取得する。ジョブ受付部５９は、受信されたプリントジョブと、取得されたユーザー識別情報との組をジョブ実行部６１に出力する。なお、プリントジョブに、ユーザー識別情報が含まれる場合があり、この場合には、ジョブ受付部５９は、プリントジョブに含まれるユーザー識別情報からプリントジョブの実行を指示したユーザーを特定する。
【００６５】
ジョブ実行部６１は、ジョブ受付部５９により受け付けられたジョブを実行する。ジョブ実行部６１は、ジョブを実行することに応じて、実行したジョブを識別するためのジョブ識別情報と、ジョブの実行を指示したユーザーのユーザー識別情報と、をジョブ履歴記憶部６３に出力する。ジョブ実行部６１が実行可能なジョブは、例えば、自動原稿搬送装置１２０および原稿読取部１３０を制御して、原稿を読み取って画像データを出力するスキャン処理、ファクシミリ部１１６を制御して画像データであるファクシミリデータを送受信するファクシミリ送受信処理、通信Ｉ／Ｆ部１１２を制御して画像データを送受信するデータ送受信処理、画像形成部１４０および給紙部１５０を制御して画像データの画像を用紙に形成する処理の１以上を定める。例えば、スキャン処理と画像形成処理とを定めたコピージョブは、原稿を読み取って得られる画像データの画像を用紙に形成する処理を定める。また、データ送受信処理と画像形成処理とを定めたプリントジョブは、通信Ｉ／Ｆ部１１２が外部から受信した画像データの画像を用紙に形成する処理を定める。
【００６６】
ジョブ履歴記憶部６３は、ジョブ実行部６１からジョブ識別情報とユーザー識別情報とが入力されることに応じて、ジョブ履歴情報をＨＤＤ１１５に記憶する。ジョブ履歴情報は、ジョブが実行された履歴を示し、少なくともジョブが実行された日時を含む。ここでは、ジョブ履歴情報は、ジョブ識別情報と、ユーザー識別情報と、ジョブが実行された日時とを含む。ここでは、ジョブが実行された日時を、ジョブ履歴記憶部６３にジョブ実行部６１からジョブ識別情報とユーザー識別情報とが入力された時点の日時としている。
【００６７】
モード切換部６５は、ＭＦＰ１００の動作モードを通常モードと省電力モードとのいずれかに切り換える。モード切換部６５は、動作モードを結果通知部７５に出力する。省電力モードにおけるＭＦＰ１００の消費電力は、通常モードにおける消費電力よりも低い。モード切換部６５は、省電力モードにおいて、自動原稿搬送装置１２０、原稿読取部１３０、画像形成部１４０、給紙部１５０、後処理部１５５および操作パネル１６０に供給する電力を遮断する。なお、電力を遮断することなく、自動原稿搬送装置１２０、原稿読取部１３０、画像形成部１４０、給紙部１５０、後処理部１５５および操作パネル１６０それぞれを、消費電力が低くなる状態に切り換えるようにしてもよい。また、モード切換部６５は、省電力モードにおいて、通信Ｉ／Ｆ部１１２、ＨＤＤ１１５、ファクシミリ部１１６および外部記憶装置１１７に供給する電力を遮断する、または、それらを消費電力が低くなる状態に切り換えるようにしてもよい。
【００６８】
スケジュール設定部５７は、省電力期間を定めたスケジュールを設定する。例えば、ＭＦＰ１００を管理する管理者による操作に従って、省電力期間を受け付け、受け付けられた省電力期間をスケジュールに設定する。スケジュール設定部５７が設定するスケジュールは、限定するものではないが、ここでは１週間分としている。1週間のスケジュールが毎週繰り返される。スケジュール設定部５７が設定するスケジュールは、１日分、１月分、１年分であってもよい。省電力期間は、再起動可能期間と再起動不可能期間とを含む。スケジュール設定部５７は、省電力期間を受け付ける場合、再起動可能期間と再起動不可能期間との何れであるかを選択する操作を受け付け、再起動可能期間を選択する操作を受け付ける場合、再起動可能期間をスケジュールに設定し、再起動不可能期間を選択する操作を受け付ける場合、再起動不可能期間をスケジュールに設定する。再起動不可能期間は、例えば、就業時間以外の昼休みの期間、夜間の期間とするのが好ましい。なお、他のコンピューターで生成されたスケジュールを、ＨＤＤ１１６に記憶するようにしてもよい。
【００６９】
モード切換部６５は、動作モードを通常モードに切り換えている状態で、操作部１６３によって所定時間ＴＨ１継続してユーザーによる操作を受け付けない期間が経過すると、動作モードを省電力モードに切り換える。モード切換部６５は、省電力モードの状態で、操作部１６３によってユーザーによる操作を受け付ける場合、操作を受け付けた時点が、スケジュールによって省電力期間以外の期間または再起動可能期間に設定されている場合、動作モードを通常モードに切り換える。モード切換部６５が、動作モードを省電力モードから通常モードに切り換える場合に、操作部１６３によって受け付けるユーザーによる操作は、認証操作以外の操作とするのが好ましい。この場合、動作モードを省電力モードに切り換えている状態で、認証部５１によってユーザーが認証される段階では、モード切換部６５は、動作モードを通常モードに切り換えない。モード切換部６５は、省電力モードの状態で、操作部１６３によってユーザーによる操作を受け付ける場合、操作を受け付けた時点が、スケジュールによって再起動不可能期間に設定されている場合は、動作モードを通常モードに切り換えることなく、省電力モードを維持する。
【００７０】
なお、省電力期間は、再起動可能期間と再起動不可能期間とを含まないようにしてもよい。この場合、モード切換部６５は、動作モードを通常モードに切り換えている状態で、操作部１６３によって所定時間ＴＨ１継続してユーザーによる操作を受け付けない期間が経過すると、動作モードを省電力モードに切り換える。モード切換部６５は、省電力モードの状態で、操作部１６３によってユーザーによる操作を受け付ける場合、動作モードを通常モードに切り換える。
【００７１】
時間帯決定部５５は、低頻度期間を決定する。時間帯決定部５５は、ジョブ受付部５９によりジョブが受け付けられる頻度が所定の値以下の期間を低頻度期間に決定する。ジョブ受付部５９は、ジョブ履歴記憶部６３により記憶されたジョブ履歴情報に基づいて、ジョブ受付部５９によりジョブが受け付けられる頻度が所定の値以下の期間を決定する。また、時間帯決定部５５は、スケジュール設定部５７においてスケジュールで省電力期間であって、再起動不可能期間に設定された期間を低頻度期間に決定する。なお、省電力期間が、再起動可能期間と再起動不可能期間とを含まないようにする場合、時間帯決定部５５は、スケジュール設定部５７においてスケジュールで省電力期間に設定された期間を低頻度期間に決定する。
【００７２】
駆動制御部５３は、時間帯決定部５５から低頻度期間が入力される。駆動制御部６４は、時間帯決定部５５から入力される低頻度期間の間、計測可能状態に設定する。駆動制御部６４は、低頻度期間において、解析部１７１および計測部１７３に電力を供給する。駆動制御部６４は、低頻度期間以外の間は計測不可能状態に設定し、解析部１７１および計測部１７３に供給する電力を遮断する。駆動制御部６４は、低頻度期間以外の間は、認証部５１からユーザー識別情報が入力されても、解析部１７１および計測部１７３に電力を供給しない。
【００７３】
なお、計測可能状態を、解析部１７１および計測部１７３を駆動可能な状態とし、駆動制御部５３は、計測可能状態においてユーザーがログインしている間のみ解析部１７１および計測部１７３に電力を供給するようにしてもよい。この場合、駆動制御部６４は、低頻度期間を計測可能状態に設定し、計測可能状態において、認証部５１からユーザー識別情報が入力されることに応じて、解析部１７１および計測部１７３に電力を供給し、ユーザーがログアウトすることに応じて、解析部１７１および計測部１７３に供給される電力を遮断する。駆動制御部６４は、低頻度期間以外の間は計測不可能状態に設定し、解析部１７１および計測部１７３に供給する電力を遮断する。駆動制御部６４は、計測不可能状態においては、認証部５１からユーザー識別情報が入力されても、解析部１７１および計測部１７３に電力を供給しない。これにより、低頻度期間における解析部１７１および計測部１７３により消費される電力を低減することができる場合がある。
【００７４】
計測履歴記憶部７１は、駆動制御部５３から解析結果とユーザー識別情報との組が入力されることに応じて、計測履歴情報をＨＤＤ１１５に記憶する。計測履歴情報は、解析結果、ユーザー識別情報および日時とを含む。計測履歴記憶部７１は、駆動制御部５３から入力される解析結果とユーザー識別情報との組に、駆動制御部５３から解析結果とユーザー識別情報との組が入力された時点の日時とを追加することにより計測履歴情報を生成する。
【００７５】
未測定ユーザー特定部６９は、所定の時間ＴＨ２以上心電位を計測していない未測定ユーザーを特定する。未測定ユーザー特定部６９は、認証部５１から認証されたユーザーのユーザー識別情報が入力されることに応じて、計測履歴記憶部７１により記憶された計測履歴情報のうちから、認証部５１から入力されるユーザー識別情報を含む計測履歴情報を抽出する。未測定ユーザー特定部６９は、抽出された１以上の計測履歴情報に含まれる日時のうちで最も後の日時を特定する。そして、未測定ユーザー特定部６９は、特定された日時からの経過時間が所定の時間ＴＨ２以上ならば認証部５１により認証されたユーザーを未測定ユーザーに特定する。未測定ユーザー特定部６９は、未測定ユーザーを特定する場合、未測定ユーザーのユーザー識別情報を予約部６７に出力する。
【００７６】
予約部６７は、未測定ユーザーに対する予約期間を決定する。具体的には、予約部６７は、未測定ユーザー特定部６９から未測定ユーザーのユーザー識別情報が入力され、時間帯決定部５５から低頻度期間が入力される。予約部６７は、未測定ユーザー特定部６９から未測定ユーザーのユーザー識別情報が入力されることに応じて、そのユーザー識別情報を時間帯決定部５５から入力される低頻度期間いずれかを未測定ユーザーに対する予約期間に決定する。予約部６７は、未測定ユーザーの予約期間を決定する場合、未測定ユーザーのユーザー識別情報と予約期間に決定された低頻度期間とを関連付ける。例えば、予約部６７は、未測定ユーザーの予約期間に決定された低頻度期間と、未測定ユーザーのユーザー識別情報とを関連付けた予約情報をＨＤＤ１１５に記憶する。予約部６７は、予約情報を予約期間通知部７３および駆動制御部５３に出力する。
【００７７】
なお、時間帯決定部５５から入力される低頻度期間のうち他のユーザーに割り当てられた低頻度期間をユーザーが選択できないようにしてもよい。この場合には、１つの低頻度期間に一人のユーザーが割り当てられるので、複数のユーザーが同じ低頻度期間に心電位を計測するためにＭＦＰ１００を利用するのを回避することができる。また、時間帯決定部５５から入力される低頻度期間のうち他のユーザーに割り当てられた低頻度期間をユーザーが選択可能にしてもよい。
【００７８】
また、予約部６７は、時間帯決定部５５から複数の低頻度期間が入力される場合、開始日時が最も早い低頻度期間を、未測定ユーザーの予約期間に決定するようにしてもよい。なお、予約部６７は、開始日時が最も早い低頻度期間に限らず、時間帯決定部５５から入力される複数の低頻度期間の任意の１つを未測定ユーザーの予約期間に決定すればよい。
【００７９】
さらに、予約部６７は、ＭＦＰ１００とネットワークで接続された他のＭＦＰから低頻度期間を取得するようにして、他のＭＦＰの低頻度期間に未測定ユーザーを関連付けることにより、予約情報を生成するようにしてもよい。この場合には、予約情報を他のＭＦＰに送信し、他のＭＦＰにおいて、未測定ユーザーが低頻度期間に関連付けられる。
【００８０】
予約期間通知部７３は、予約部６７から入力される予約情報に基づいて、未測定ユーザーに予約期間を通知する。具体的には、予約情報に含まれる予約期間の開始日時から予め定められた期間だけ前になると、予約情報に含まれるユーザー識別情報で特定されるユーザーに、メッセージを送信する。予約期間の前に未測定ユーザーに予約期間を通知するので、予約期間に心電位の測定がされる確率が高くなることが期待される。例えば、ＨＤＤ１１５に、ユーザーごとに電子メールアドレスを関連付けたアドレス帳が予め記憶されている場合、予約期間通知部７３は、予約情報に含まれるユーザー識別情報に関連付けられた電子メール宛ての電子メールを生成し、送信する。電子メールは、予約情報に含まれる予約期間を少なくとも含み、その予約期間に心電位の計測を促すメッセージを含んでもよい。なお、予約期間通知部７３が未測定ユーザーに予約期間を通知するタイミングは、予約期間中であってもよいし、予約期間の後であってもよい。予約期間中に通知する場合には、予約期間中に心電位が測定される場合があるからである。
【００８１】
駆動制御部５３は、制限部８１を含む。制限部８１は、予約部６７から予約情報が入力される場合、予約期間における未測定ユーザー以外のユーザーによる心電位の計測を制限する。具体的には、制限部８１は、認証部５１からユーザー識別情報が入力される時点が、予約情報に含まれる予約期間内の場合、認証部５１から入力されるユーザー識別情報が予約情報に含まれるユーザー識別情報と異なる場合、解析部１７１および計測部１７３の電源を遮断した状態を維持し、電源を供給しない。予約期間においては、未測定ユーザーが操作パネル１６０を操作する場合に、計測部１７３による心電位の計測が可能となるが、未測定ユーザー以外のユーザーが操作パネル１６０を操作する場合に、計測部１７３による心電位の計測は不可能となる。
【００８２】
駆動制御部５３は、予約部６７から予約情報が入力される場合、予約情報を時間帯決定部５５に出力する。時間帯決定部５５は、延長部８３と、終了部８５と、を含む。延長部８３は、予約情報に含まれる予約期間に対応する低頻度期間を、その低頻度期間に未測定ユーザーの心電位が計測されない場合に、延長する。終了部８５は、低頻度期間中に未測定ユーザーの心電位の計測が完了することに応じて、低頻度期間を終了させる。
【００８３】
具体的には、予約期間は、時間帯決定部５５が決定した１以上の低頻度期間のいずれかである。駆動制御部５３は、解析部１７１から解析結果が入力されることに応じて、ユーザー識別情報を時間帯決定部５５に出力する。このため、延長部８３は、予約部６７から予約情報が入力される場合、予約情報に含まれるユーザー識別情報と同じユーザー識別情報が、予約情報に含まれる予約期間内に駆動制御部５３から入力されない場合に、予約期間に対応する低頻度期間を延長し、延長した低頻度期間を終了部８５に出力する。また、延長部８３は、延長した後の低頻度期間を新たな低頻度期間に設定し、新たな低頻度期間を駆動制御部５３に出力する。このため、駆動制御部５３は、新たな低頻度期間の間、解析部１７１および計測部１７３に電力を供給可能な状態にするので、未測定ユーザーが心電位を計測可能な状態となる。
【００８４】
終了部８５は、予約情報に含まれるユーザー識別情報と同じユーザー識別情報が、予約情報に含まれる予約期間内に駆動制御部５３から入力されることに応じて、予約期間に対応する低頻度期間を終了させ、終了させた低頻度期間を新たな低頻度期間に設定する。また、終了部８５は、予約部６７から予約情報が入力される場合、延長部８３から延長された後の予約期間が入力される場合がある。終了部８５は、予約情報に含まれるユーザー識別情報と同じユーザー識別情報が、延長された後の予約期間内に駆動制御部５３から入力されることに応じて、予約期間に対応する低頻度期間を終了させ、終了させた低頻度期間を新たな低頻度期間に設定する。終了部８５は、新たな低頻度期間を駆動制御部５３に出力する。この場合、駆動制御部５３は、新たな低頻度期間が入力されることに応じて、解析部１７１および計測部１７３に供給する電力を遮断する。したがって、電力の消費を低減することができる。
【００８５】
結果通知部７５は、計測履歴記憶部７１から解析結果とユーザー識別情報との組が入力される。結果通知部７５は、計測履歴記憶部７１から解析結果が入力されることに応じて、解析結果をユーザーに通知する。なお、結果通知部７５は、解析結果をユーザーごとにＨＤＤ１１５に記憶するようにして、解析結果を、過去の解析結果とともに通知するようにしてもよい。
【００８６】
結果通知部７５は、結果出力部７７と、結果送信部７９と、を含む。結果通知部７５は、計測履歴記憶部７１から解析結果が入力された時点で、モード切換部６５により動作モードが通常モードに切り換えられている場合には、結果出力部７７を有効に設定し、モード切換部６５により動作モードが省電力モードに切り換えられている場合には、結果送信部７８を有効に設定する。結果出力部７７は、解析結果を表示部１６１に表示する。また、結果出力部７７は、画像形成部１４０を制御して、解析結果を用紙に形成させるようにしてもよい。結果送信部７９は、解析結果を含み、計測履歴記憶部７１から入力されるユーザー識別情報に関連付けられた電子メールアドレスを宛先に設定した電子メールを生成し、送信する。
【００８７】
また、結果通知部７５は、計測履歴記憶部７１から解析結果が入力された時点で、モード切換部６５により動作モードが省電力モードに切り換えられている場合には、結果出力部７７を有効に設定するようにしてもよい。この場合に、結果出力部７７は、計測履歴記憶部７１から解析結果が入力された時点でその解析結果をユーザーと関連付けて記憶しておき、そのユーザーが次にログインした時点で、解析結果を出力する。
【００８８】
図５および図６は、計測制御処理の流れの一例を示すフローチャートである。計測制御処理は、ＭＦＰ１００が備えるＣＰＵ１１１が、ＲＯＭ１１３、ＨＤＤ１１５、ＣＤ−ＲＯＭ１１８に記憶された計測制御プログラムを実行することにより、ＣＰＵ１１１により実行される処理である。図５および図６を参照して、ＣＰＵ１１１は、低頻度期間決定処理を実行する（ステップＳ０１）。
【００８９】
低頻度期間決定処理の詳細は後述するが、低頻度期間を決定する処理である。次のステップＳ０２においては、動作モードを通常モードに切り換え、処理をステップＳ０３に進める。ステップＳ０３においては、モード切換処理を実行し、処理をステップＳ０４に進める。モード切換処理の詳細は後述するが、動作モードを切り換える処理である。
【００９０】
ステップＳ０４においては、ユーザーがログインしたか否かを判断する。操作部１６３を操作するユーザーの認証が成功すると、ユーザーがログインしたと判断する。ユーザーがログインしたならば処理をステップＳ０５に進めるが、そうでなければ処理をステップＳ０９に進める。
【００９１】
ステップＳ０５においては、ログインしたユーザーのユーザー情報を取得し、処理をステップＳ０６に進める。ＨＤＤ１１５に予め記憶されているユーザー情報のうちからステップＳ０４において認証されたユーザーのユーザー識別情報と関連付けられたユーザー情報を取得する。なお、ＨＤＤ１１５にユーザー情報が記憶されていない場合には、表示部１６１にユーザー情報入力画面を表示し、ユーザーが操作部１６３に入力するユーザー情報を受け付けるようにすればよい。
【００９２】
ステップＳ０６においては、ログインしたユーザーの計測履歴情報を取得する。ＨＤＤ１１５に記憶された計測履歴情報のうちからログインしたユーザーのユーザー識別情報を含む計測履歴情報を読み出す。そして、計測履歴情報に基づいて、ログインしたユーザーが未測定ユーザーか否かを判断する（ステップＳ０７）。ステップＳ０６において取得された計測履歴情報のうち、計測履歴情報に含まれる日時が最も後の日時からの経過時間が所定の時間ＴＨ２以上ならば、ログインしたユーザーが未測定ユーザーと判断する。ログインしたユーザーが未測定ユーザーならば処理をステップＳ０８に進めるが、そうでなければステップＳ０８をスキップして処理をステップＳ０９に進める。ステップＳ０８においては、ログインしたユーザーに予約期間を割り当て、処理をステップＳ０９に進める。ステップＳ０１において決定された１以上の低頻度期間のいずれかを予約期間としてログインしたユーザーに割り当てる。ここでは、ログインしたユーザーを識別するためのユーザー識別情報と予約期間とを含む予約情報をＨＤＤ１１５に記憶する。なお、ログインしたユーザーに予約期間が既に割り当てられている場合、換言すれば、ログインしたユーザーのユーザー識別情報を含む予約情報がＨＤＤ１１５に記憶されている場合には、ログインしたユーザーに予約期間を割り当てることなく、処理をステップＳ０９に進める。
【００９３】
ステップＳ０９においては、駆動制御処理を実行し、処理をステップＳ１０に進める。駆動制御処理の詳細は後述するが、計測部１７３および解析部１７１を計測可能状態と計測不可能状態とのいずれかに切り換える処理である。
【００９４】
ステップＳ１０においては、ログインしているユーザーが存在するか否かを判断する。ログインしているユーザーが存在するならば処理をステップＳ１１に進めるが、そうでなければ処理をステップＳ０３に戻す。ステップＳ１１においては、ステップＳ０９における駆動制御処理によって、計測部１７３および解析部１７１が計測可能状態に設定されているか否かを判断する。計測可能状態に設定されているならば処理をステップＳ１２に進めるが、そうでなければ処理をステップＳ１７に進める。
【００９５】
ステップＳ１２においては、心電位を検出したか否かを判断する。第１電極１７５Ａおよび第２電極１７５Ｂそれぞれで電位が検出されると、心電位を検出する。心電位を検出したならば、処理をステップＳ１３に進めるが、心電位を検出しなければ処理をステップＳ１７に進める。なお、心電位の検出に代えて、操作部１６３が有する計測開始キーのユーザーによる指示を検出するようにしてもよい。この場合には、ユーザーによる計測開始キーの押下を検出する場合に、処理をステップＳ１３に進めるが、そうでなければ処理をステップＳ２０に進める。また、心電位を検出する場合、または計測開始キーのユーザーによる指示を検出する場合に、現時点が予約期間であって、ログインユーザーが未測定ユーザーでない場合には、心電位の測定を制限する。具体的には、ＨＤＤ１１５に記憶されている予約情報のうちから現時点を低頻度期間に含む予約情報を抽出する。そのような予約情報を抽出する場合、抽出された予約情報に含まれるユーザー識別情報がログインユーザーのユーザー識別情報と同じならば、心電位を測定するために処理をステップＳ１３に進めるが、そうでなければ心電位の測定を制限し、処理をステップＳ２０に進める。ＨＤＤ１１５に記憶されている予約情報のうちから、それに含まれる低頻度期間が現時点を含む予約情報を抽出しない場合、心電位を測定するために処理をステップＳ１３に進める。
【００９６】
ステップＳ１３においては、心電位の計測を開始し、処理をステップＳ１４に進める。具体的には、計測部１７３に計測指示を出力し、計測部１７３に心電位を計測させる。計測部１７３は、計測指示が入力された後に、第１電極１７５Ａおよび第２電極１７５Ｂそれぞれで電位が検出される場合に心電位を計測し、計測した心電位を出力する。ステップＳ１４においては、心電位を解析し、処理をステップＳ１５に進める。具体的には、解析部１７１に計測開始信号を出力し、計測部１７３から連続して取得される心電位を解析部１７１に連続して出力する。解析部１７１は、心電位に基づいて、ユーザー情報に対応する解析結果を生成し、解析結果をＣＰＵ１１１に出力するので、ＣＰＵ１１１は、解析部１７１から解析結果を取得したか否かを判断する（ステップＳ１５）。解析結果を取得したならば処理をステップＳ１６に進めるが、そうでなければ処理をステップＳ１４に戻す。
【００９７】
ステップＳ１６においては、動作モードが通常モードか否かを判断する。動作モードが通常モードならば処理をステップＳ１７に進めるが、そうでなければ処理をステップＳ１８に進める。ステップＳ１７においては、解析結果を表示部１６１に表示し、処理をステップＳ１９に進める。なお、解析結果の表示部１６１への表示とは別に、またはそれに加えて、画像形成部１４０を制御して、解析結果を用紙に形成させるようにしてもよい。
【００９８】
ステップＳ１８においては、解析結果を送信し、処理をステップＳ１９に進める。例えば、解析結果を含み、ログインユーザーの電子メールアドレスを宛先に設定した電子メールを生成し、送信する。ステップＳ１９においては、計測履歴情報をＨＤＤ１１５に記憶し、処理をステップＳ０３に戻す。計測履歴情報は、解析結果と、ログインしたユーザーのユーザー識別情報と、その時点の日時とを含む。
【００９９】
ステップＳ２０においては、ジョブを受け付けたか否かを判断する。ユーザーが操作部１６３に入力する操作に基づいて、ジョブを受け付ける。ユーザーが操作部１６３に入力する操作は、ジョブを実行するための設定値を設定する操作と、ジョブの実行を指示する操作実行させる操作と、を含む。ジョブを受け付けたならば処理をステップＳ２１に進めるが、そうでなければ処理をステップＳ２３に進める。ステップＳ２１においては、ステップＳ２０において受け付けられたジョブを実行し、処理をステップＳ２２に進める。ステップＳ２２においては、ＨＤＤ１１５にジョブ履歴情報を記憶し、処理をステップＳ０３に戻す。ジョブ履歴情報は、ジョブが実行された履歴を示し、ステップＳ２１においてジョブが実行された日時を含む。なお、ジョブ履歴情報は、ステップＳ２１において実行されたジョブを識別するためのジョブ識別情報と、ログインしているユーザーのユーザー識別情報と、日時とを含むようにしてもよい。
【０１００】
ステップＳ２３においては、ユーザーがログアウトしたか否かを判断する。ステップＳ０４において認証されたユーザーがログアウトしたならば処理をステップＳ２４に進め、そうでなければ処理をステップＳ０３に戻す。例えば、操作部１６３がユーザーによる操作を受け付けることなく、また、第１電極１７５Ａおよび第２電極１７５Ｂのいずれかで電位が検出されることなく、所定時間経過すると、ユーザーがログアウトしたと判断する。ステップＳ２４においては、ログインを許可したユーザーをログアウトさせる処理を実行し、処理をステップＳ０３に戻す。
【０１０１】
図７は、低頻度期間決定処理の流れの一例を示すフローチャートである。低頻度期間決定処理は、図５のステップＳ０１において実行される処理である。図７を参照して、ＣＰＵ１１１は、ＨＤＤ１１５に記憶されたジョブ履歴情報を読み出す（ステップＳ３１）。そして、ジョブ履歴情報に基づいて期間ごとの頻度を算出する（ステップＳ３２）。期間は、任意の期間を定めることができる。ここでは、期間を３０分としている。ステップＳ３２においては、処理対象とする期間を選択し、処理をステップＳ３４に進める。ステップＳ３４においては、処理対象に選択された期間の頻度がしきい値ＴＨ３以下か否かを判断する。頻度がしきい値ＴＨ３以下ならば処理をステップＳ３５に進めるが、そうでなければステップＳ３５をスキップして処理をステップＳ３６に進める。ステップＳ３５においては、処理対象に選択されている期間を低頻度期間に設定し、処理をステップＳ３６に進める。ステップＳ３６においては、未選択の期間が存在するか否かを判断する。未選択の期間が存在するならば処理をステップＳ３３に戻すが、存在しなければ処理をステップＳ３７に進める。
【０１０２】
ステップＳ３７においては、ＨＤＤ１１５に記憶されたスケジュールを読み出す。次のステップＳ３８においては、スケジュールにより定められた再起動不可能期間を特定する。そして、再起動不可能期間を低頻度期間に設定し（ステップＳ３９）、処理を操作受付処理に戻す。
【０１０３】
図８は、モード切換処理の流れの一例を示すフローチャートである。モード切換処理は、図５のステップＳ０３において実行される処理である。図８を参照して、ＣＰＵ１１１は、動作モードが通常モードに設定されているか否かを判断する（ステップＳ４１）。通常モードに設定されているならば処理をステップＳ４２に進めるが、そうでなければ処理をステップＳ４６に進める。
【０１０４】
ステップＳ４２においては、操作を受け付けたか否かを判断する。操作部１６３がユーザーによる操作を受け付けたならば処理をステップＳ４３に進めるが、そうでなければ処理をステップＳ４４に進める。ここでの操作は、特に限定するものではなく、任意の操作である。ステップＳ４３においては、タイマーＴをリセットし、処理を計測制御処理に戻す。
【０１０５】
ステップＳ４４においては、タイマーＴの値がしきい値ＴＨ１以上か否かを判断する。タイマーＴの値がしきい値ＴＨ１以上ならば処理をステップＳ４５に進めるが、そうでなければ処理を計測制御処理に戻す。ステップＳ４５においては、動作モードを省電力モードに切り換え、処理を計測制御処理に戻す。
【０１０６】
ステップＳ４６においては、ステップＳ４２と同様に、操作を受け付けたか否かを判断する。操作を受け付けたならば処理をステップＳ４７に進めるが、そうでなければ処理を計測制御処理に戻す。ステップＳ４７においては、現時点が再起動不可能期間内か否かを判断する。現時点が再起動不可能期間内ならば処理を計測制御処理に戻すが、そうでなければ処理をステップＳ４８に進める。ステップＳ４８においては、動作モードを通常モードに切り換え、処理を計測制御処理に戻す。
【０１０７】
図９は、駆動制御処理の流れの一例を示すフローチャートである。駆動制御処理は、図５のステップＳ０９において実行される処理である。図８を参照して、ＣＰＵ１１１は、現時点が低頻度期間内か否かを判断する（ステップＳ５１）。低頻度期間内ならば処理をステップＳ５２に進めるが、そうでなければ処理をステップＳ６２に進める。ステップＳ６２においては、計測不可能状態に設定し、処理を計測制御処理に戻す。
【０１０８】
ステップＳ５２においては、計測可能状態に設定されているか否かを判断する。計測可能状態に設定されているならば処理をステップＳ５４に進めるが、そうでなければ処理をステップＳ５３に進める。ステップＳ５３においては、計測可能状態に設定し、処理をステップＳ５４に進める。
【０１０９】
ステップＳ５４においては、現時点が予約期間内か否かを判断する。ＨＤＤ２２５に記憶されている予約情報のうちに、それに含まれる低頻度期間が現時点を含む予約情報が存在する場合に、その予約情報を読出し、現時点が予約期間内と判断する。現時点が予約期間内ならば処理をステップＳ５５に進めるが、そうでなければ処理を計測制御処理に戻す。
【０１１０】
ステップＳ５５においては、未測定ユーザーを特定し、処理をステップＳ５６に進める。ステップＳ５４において読み出された予約情報に含まれるユーザー識別情報で特定されるユーザーを未測定ユーザーに特定する。ステップＳ５６においては、未測定ユーザーの心電位の計測が終了しているか否かを判断する。具体的には、予約情報に含まれるユーザー識別情報と同じユーザー識別情報を含む測定履歴情報を、ＨＤＤ２２５に記憶されている測定履歴情報のうちから抽出し、抽出された測定履歴情報に含まれる日時が予約情報に含まれる予約期間内であれば、未測定ユーザーが心電位の計測を終了していると判断する。未測定ユーザーが心電位の計測を終了しているならば処理をステップＳ５７に進めるが、そうでなければ処理をステップＳ５９に進める。
【０１１１】
ステップＳ５７においては、ステップＳ５４において読み出された予約情報に含まれる低頻度期間を終了させ、処理をステップＳ５８に進める。具体的には、低頻度期間を消去する。次のステップＳ５８においては、計測不可能状態に設定し、処理を測定制御処理に戻す。なお、現時点の後、所定の時間以内に予約時間が存在する場合には、測定不可能状態に設定することなく、測定可能状態を維持するようにしてもよい。この場合には、計測部１７３および解析部１７１の起動電力が大きい場合に有効である。
【０１１２】
ステップＳ５９においては、ステップＳ５４において読み出された予約情報に含まれる低頻度期間を延長し、処理をステップＳ６０に進める。ステップＳ６０においては、延長期間がしきい値ＴＨ４以上か否かを判断する。スケジュールにおいて定められた低頻度期間から延長した期間がしきい値ＴＨ４以上ならば処理をステップＳ６１に進めるが、そうでなければ処理を測定制御処理に戻す。ステップＳ６１においては、ステップＳ５４において読み出された予約情報をＨＤＤ１１５から削除し、処理をステップＳ６２に進める。ステップＳ６２においては、計測不可能状態に設定し、処理を計測制御処理に戻す。予約期間からしきい値ＴＨ４以上経過しても心電位が計測されない場合には、予約期間を開放して、他のユーザーがその予約期間に対応する低頻度期間を利用して予約可能とすることができる。
【０１１３】
以上説明したように、本実施の形態におけるＭＦＰ１００は、画像形成装置として機能し、ジョブが受け付けられる確率の低い低頻度期間を決定し、低頻度期間にユーザーの生体情報の計測が可能な計測可能状態にする。このため、ジョブが受け付けられる期間と生体情報を計測する期間とが重なる確率を低くすることができ、生体情報の計測とジョブの実行とを効率的に実行することができる。
【０１１４】
また、ＭＦＰ１００は、ジョブが受け付けられた日時を含むジョブ履歴情報を記憶し、ジョブ履歴情報に基づいてジョブが受け付けられる頻度が所定の値以下の期間を低頻度期間に決定するので、ジョブが受け付けられる確率の低い期間に、生体情報の計測を可能にすることができる。
【０１１５】
また、ＭＦＰ１００は、省電力モードの期間を定めたスケジュールを設定し、スケジュールにより省電力モードに定められた期間を、低頻度期間に決定するので、消費電力が低い期間に生体情報の計測を可能にすることができる。
【０１１６】
また、ＭＦＰ１００は、動作モードが通常モードの場合に、解析結果を表示し、動作モードが省電力モードの場合に、解析結果を電子メールで送信するので、省電力モードにおける消費電力を低減することができる。
【０１１７】
また、ＭＦＰ１００は、省電力モードの期間が再起動可能期間と再起動不可期間とを含む場合、スケジュールにより定められた再起動可能期間を低頻度期間に決定することなく、スケジュールに定められた再起動不可能期間を低頻度期間に決定するので、ジョブの受付と、生体情報の計測とが重ならないようにすることができる。
【０１１８】
また、ＭＦＰ１００は、所定期間の間生体情報を計測してないユーザーを認証する場合、そのユーザーに低頻度期間を割り当て、そのユーザーに割り当てられた低頻度期間を、そのユーザーに通知する。このため、低頻度期間に生体情報が計測される確率を高くすることができる。また、生体情報の計測を所定期間していないユーザーに低頻度期間を割り当てるので、ユーザーごとに所定期間内に生体情報が計測される確率を高くすることができる。
【０１１９】
また、ＭＦＰ１００は、低頻度期間に認証されたユーザー以外のユーザーが、その低頻度期間に割り当てられている場合、生体情報の計測を制限するので、生体情報が計測される時間を短くして、ジョブを受け付け可能な時間を長くすることができる。
【０１２０】
また、ＭＦＰ１００は、ユーザーが割り当てられた低頻度期間にそのユーザーの生体情報を計測しない場合、当該低頻度期間を所定時間延長するので、ユーザーが生体情報を計測する時間を確保することができる。
【０１２１】
また、ＭＦＰ１００は、低頻度期間内に低頻度期間に割り当てられたユーザーの生体情報に基づいた解析が終了することに応じて、低頻度期間を終了させるので、生体情報が計測可能な時間を短くして、ジョブを受け付け可能な時間を長くすることができる。
【０１２２】
また、ＭＦＰ１００は、ユーザーが割り当てられた低頻度期間を計測可能状態にし、ユーザーが割り当てられていない低頻度期間を計測不可能状態にする場合、生体情報が計測される時間を短くして、ジョブを受け付け可能な時間を長くすることができる。
【０１２３】
また、ＭＦＰ１００は、低頻度期間を計測不可能状態にし、低頻度期間以外の期間を計測不可能状態にする場合、生体情報が計測される時間を短くして、ジョブを受け付け可能な時間を長くすることができる。
【０１２４】
また、ＭＦＰ１００は、計測可能状態において計測部１７３および解析部１７１に供給される電力を遮断している場合、操作部１６３により生体情報の計測を開始させる操作が受け付けられることに応じて、計測部１７３および解析部１７１に電力を供給する。このため、計測可能状態において、生体情報を計測可能にしつつ消費電力を低減することができる。
【０１２５】
なお、本実施の形態においては、画像形成装置の一例としてＭＦＰ１００を例に説明したが、図５〜図９に示した計測制御処理をＭＦＰ１００に実行させる生体情報計測方法、または、その生体情報計測方法を、ＭＦＰ１００が備えるＣＰＵ１１１に実行させる生体情報計測プログラムとして発明を捉えることができるのは言うまでもない。
【０１２６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２７】
１００  ＭＦＰ、１１０  メイン回路、１１１  ＣＰＵ、１１２  通信Ｉ／Ｆ部、１１３  ＲＯＭ、１１４  ＲＡＭ、１１５  ＨＤＤ、１１６  ファクシミリ部、１１７  外部記憶装置、１２０  自動原稿搬送装置、１３０  原稿読取部、１４０  画像形成部、１５０  給紙部、１５５  後処理部、１６０  操作パネル、１６１  表示部、１６３  操作部、１６５  タッチパネル、１６７  ハードキー部、１７１  解析部、１７３  計測部、１７５Ａ  第１電極、１７５Ｂ  第２電極、５１  認証部、５３  駆動制御部、５５  時間帯決定部、５７  スケジュール設定部、５９  ジョブ受付部、６１  ジョブ実行部、６３  ジョブ履歴記憶部、６４  駆動制御部、６５  モード切換部、６７  予約部、６９  未測定ユーザー特定部、７１  計測履歴記憶部、７３  予約期間通知部、７５  結果通知部、７７  結果出力部、７８  結果送信部、７９  結果送信部、８１  制限部、８３  延長部、８５  終了部。
【図１】
2017205894.tif 000003
【図２】
2017205894.tif 000004
【図３】
2017205894.tif 000005
【図４】
2017205894.tif 000006
【図５】
2017205894.tif 000007
【図６】
2017205894.tif 000008
【図７】
2017205894.tif 000009
【図８】
2017205894.tif 000010
【図９】
2017205894.tif 000011